(57)【要約】【課題】傾き補正機能が有効である場合であっても、原稿の原稿サイズを正確に判別する。【解決手段】画像読取装置は、原稿搬送部と、傾き角度検出部と、読取領域設定部と、画像読取部と、傾き補正部と、記憶部と、原稿サイズ判別部と、を備える。記憶部は、原稿の原稿サイズと画像データの少なくとも一方向の長さとの関係を示すサイズ判別情報を記憶する。読取領域設定部は、傾き補正処理が実行される場合において設定する読取領域を、傾き補正処理が実行されない場合において設定する読取領域よりも大きくする。そして、原稿サイズ判別部は、傾き補正処理が実行されない場合に、画像データの少なくとも一方向の長さとサイズ判別情報とを用いて原稿の原稿サイズを検出し、傾き補正処理が実行される場合に、画像データの少なくとも一方向の長さとサイズ判別情報とに加えて、傾き角度を用いて原稿の原稿サイズを検出する。【選択図】図７
2016092478.tif 000002
【特許請求の範囲】
【請求項１】
原稿載置台を有し、当該原稿載置台に載置された原稿を搬送する原稿搬送部と、
前記原稿搬送部から搬送された原稿の傾き角度を検出する傾き角度検出部と、
前記原稿搬送部から搬送された原稿の読取領域を設定する読取領域設定部と、
前記読取領域設定部が設定した前記読取領域において、前記原稿を読み取って画像データを生成する画像読取部と、
前記画像読取部が生成した前記画像データに対して、前記傾き角度に応じた傾き補正処理を施す傾き補正部と、
前記原稿の原稿サイズと前記画像データの少なくとも一方向の長さとの関係を示すサイズ判別情報を記憶する記憶部と、
前記原稿の原稿サイズを判別する原稿サイズ判別部と、を備え、
前記読取領域設定部は、前記傾き補正処理が実行される場合において設定する前記読取領域を、前記傾き補正処理が実行されない場合において設定する前記読取領域よりも大きくし、
前記原稿サイズ判別部は、前記傾き補正処理が実行されない場合に、前記画像データの少なくとも一方向の長さと前記サイズ判別情報とを用いて前記原稿の原稿サイズを判別し、前記傾き補正処理が実行される場合に、前記画像データの少なくとも一方向の長さと前記サイズ判別情報とに加えて、前記傾き角度を用いて前記原稿の原稿サイズを判別する、画像読取装置。
【請求項２】
前記記憶部は、前記傾き角度毎に前記サイズ判別情報を記憶しており、
前記各サイズ判別情報は、前記原稿が前記傾き角度だけ傾いた状態における、前記画像データの少なくとも一方向の長さと前記原稿の原稿サイズとの関係を示し、
前記原稿サイズ判別部は、前記傾き角度に応じて前記複数のサイズ判別情報の中から１つのサイズ判別情報を選択して、当該選択したサイズ判別情報と、前記画像データの少なくとも一方向の長さとを対比することで、前記原稿の原稿サイズを判別する、請求項１に記載の画像読取装置。
【請求項３】
前記原稿サイズ判別部は、前記画像データの少なくとも一方向の長さを前記傾き角度に応じて補正して、当該補正後の少なくとも一方向の長さとサイズ判別情報とを対比することで、前記原稿の原稿サイズを判別する、請求項１に記載の画像読取装置。
【請求項４】
前記傾き補正処理の実行指示を受け付ける受付部を更に備え、
前記受付部が前記実行指示を受け付けた場合に、前記傾き補正部が前記傾き補正処理を実行し、前記受付部が前記実行指示を受け付けない場合に、前記傾き補正部が前記傾き補正処理を実行しない、請求項１乃至請求項３の何れか１項に記載の画像読取装置。
【請求項５】
前記受付部は、更に、異なる原稿サイズの原稿の読み取りを指示する混載読み取り指示を受け付け、
前記原稿サイズ判別部は、前記受付部が前記傾き補正処理の実行指示に加えて、前記混載読み取り指示を受け付けた場合に、前記画像データの少なくとも一方向の長さと前記サイズ判別情報とに加えて、前記傾き角度を用いて前記原稿の原稿サイズを判別する、請求項４に記載の画像読取装置。
【請求項６】
請求項１乃至請求項５の何れか１項に記載の画像読取装置と、
前記画像読取装置が生成した画像データに基づき、記録紙に画像を形成する画像形成部と、を備える画像形成装置。
【発明の詳細な説明】
【技術分野】
【０００１】
本発明は、画像読取装置および画像読取装置を備える画像形成装置に関し、特に、原稿搬送部により搬送された原稿の原稿サイズを判別する技術に関する。
【背景技術】
【０００２】
近年、いわゆる混載読み取り機能を備えた画像読取装置が登場している。当該画像読取装置では、原稿載置台に載置された異なる原稿サイズの原稿を原稿搬送装置で搬送して、画像読取部で当該搬送された原稿を読み取ることで、異なる原稿サイズの原稿を一度に読み取っている。
【０００３】
ここで、混載読み取りでは、原稿載置台に異なる原稿サイズの原稿が載置されるため、原稿の搬送方向に対して傾いた状態で原稿が搬送される場合がある。原稿の傾きに応じた傾き補正処理を施す傾き補正機能を搭載した画像読取装置では、混載読み取りにおいて原稿が傾いた状態で読み取られた場合であっても、画像データの向きを正しい向きに補正することができる（例えば、特許文献１参照）。
【先行技術文献】
【特許文献】
【０００４】
【特許文献１】特開２０１３−０７７９５４号公報
【発明の概要】
【発明が解決しようとする課題】
【０００５】
傾き補正機能が有効である場合、傾き補正処理を施した画像データに画像の欠落が生じないようにするため、読取範囲を広く設定する必要がある。しかしながら、この場合、正常な状態で原稿が搬送された場合と比較して原稿の読取領域が広くなるため、原稿の原稿サイズを正確に判別することができないという問題がある。
【０００６】
本発明は、上記の事情に鑑みなされたものであり、傾き補正機能が有効である場合であっても、原稿の原稿サイズを正確に判別することを可能にすることを目的とする。
【課題を解決するための手段】
【０００７】
本発明の一局面にかかる画像読取装置は、原稿載置台を有し、当該原稿載置台に載置された原稿を搬送する原稿搬送部と、前記原稿搬送部から搬送された原稿の傾き角度を検出する傾き角度検出部と、前記原稿搬送部から搬送された原稿の読取領域を設定する読取領域設定部と、前記読取領域設定部が設定した前記読取領域において、前記原稿を読み取って画像データを生成する画像読取部と、前記画像読取部が生成した前記画像データに対して、前記傾き角度に応じた傾き補正処理を施す傾き補正部と、前記原稿の原稿サイズと前記画像データの少なくとも一方向の長さとの関係を示すサイズ判別情報を記憶する記憶部と、前記原稿の原稿サイズを判別する原稿サイズ判別部と、を備え、前記読取領域設定部は、前記傾き補正処理が実行される場合において設定する前記読取領域を、前記傾き補正処理が実行されない場合において設定する前記読取領域よりも大きくし、前記原稿サイズ判別部は、前記傾き補正処理が実行されない場合に、前記画像データの少なくとも一方向の長さと前記サイズ判別情報とを用いて前記原稿の原稿サイズを判別し、前記傾き補正処理が実行される場合に、前記画像データの少なくとも一方向の長さと前記サイズ判別情報とに加えて、前記傾き角度を用いて前記原稿の原稿サイズを判別する、画像読取装置である。
【０００８】
また、本発明の他の一局面にかかる画像形成装置は、上記の画像読取装置と、画像読取装置が生成した画像データに基づき、記録紙に画像を形成する画像形成部と、を備える画像形成装置である。
【発明の効果】
【０００９】
本発明によれば、傾き補正機能が有効である場合であっても、原稿の原稿サイズを正確に判別することができる。
【図面の簡単な説明】
【００１０】
【図１】本発明の一実施形態にかかる画像読取装置を備えた画像形成装置を示す斜視図である。
【図２】本発明の一実施形態にかかる画像読取装置の構造を示す側面断面図である。
【図３】本発明の一実施形態にかかる画像読取装置の原稿搬送部の内部に設置された各種センサーの配設位置を示す平面断面図である。
【図４】本発明の一実施形態にかかる画像読取装置および画像形成装置の主要内部構成を概略的に示す機能ブロック図である。
【図５】本発明の一実施形態にかかる画像読取装置の読取領域設定部により設定される読取領域を示す図である。
【図６】（Ａ）は、本発明の一実施形態にかかる画像読取装置の記憶部に記憶されるサイズ判別情報の一例を示す図であり、（Ｂ）〜（Ｄ）は、サイズ判別情報の内容の一例を示す図である。
【図７】本発明の一実施形態にかかる画像読取装置による原稿の混載読み取り動作の流れを示すフローチャートである。
【発明を実施するための形態】
【００１１】
以下、本発明の一実施形態にかかる画像読取装置およびこれを備えた画像形成装置について図面を参照して説明する。図１は、本発明の一実施形態にかかる画像読取装置を備えた画像形成装置を示す斜視図である。
【００１２】
画像形成装置１は、ファクシミリ通信機能、コピー機能、プリンター機能、およびスキャナー機能等の複数の機能を兼ね備えた複合機である。図１に示すように、画像形成装置１は、装置本体８０と、装置本体８０の上方に配置された画像読取装置１０とから概略構成される。
【００１３】
装置本体８０の外郭を構成する筐体８１の内部には、給紙部８２、および画像形成部８４等が収容されている。
【００１４】
給紙部８２は、用紙（記録紙）を収容する給紙カセット（不図示）と、繰出ローラー（不図示）とを備え、給紙カセットに収容された用紙を筐体８１の内部に設けられた用紙搬送路に向けて繰り出す。
【００１５】
画像形成部８４は、感光体ドラム（不図示）、帯電装置（不図示）、露光装置（不図示）、および現像装置（不図示）等を備える。画像形成部８４は、画像読取装置１０が原稿を読み取って生成した画像データに基づくトナー画像を、帯電、露光、現像の工程により、感光体ドラム上に形成する。給紙部８２から搬送された用紙は、感光体ドラムに形成されたトナー像が転写され、定着処理が施された後に排出トレイ８８に排出される。
【００１６】
装置本体８０の筐体８１の前面には、操作部８５が配置されている。操作部８５は、液晶ディスプレイ（ＬＣＤ：Liquid Crystal Display）や有機ＥＬ（ＯＬＥＤ：Organic Light-Emitting Diode）ディスプレイを含んで構成される表示部８５１と、表示部８５１に表示される画面に対する操作をユーザーから受け付ける複数の操作キー８５２とを備えている。
【００１７】
表示部８５１に表示された操作画面に基づき、操作キー８５２等により入力されたユーザー操作により、画像読取指示や画像形成指示等が入力される。当該入力された指示は、受付部１０２（図４参照）により受け付けられる。
【００１８】
図２は、本発明の一実施形態にかかる画像読取装置１０の構造を示す側面断面図である。画像読取装置１０は、画像読取部３０と、画像読取部３０の上方に配置された原稿搬送部２０とを備えている。
【００１９】
画像読取部３０は、ＣＣＤ（Charge Coupled Device）および画像照射ランプ等からなる読取ユニット４０と、ガラス等の透明部材により構成された原稿台５２と、読取スリット５３とを備えている。読取ユニット４０は、ステッピングモーターやギア等を有する読取ユニット駆動部（不図示）により移動される。
【００２０】
原稿固定読取では、読取ユニット駆動部により読取ユニット４０が予め定められた読取開始位置から副走査方向に移動され、原稿台５２に載置された原稿が読み取られる。一方、原稿搬送読取では、読取ユニット駆動部により読取ユニット４０が読取スリット５３の裏面における予め定められた位置に固定され、原稿搬送部２０により読取スリット５３に向けて搬送された原稿が読み取られる。
【００２１】
原稿搬送部２０は、上述したように、読取ユニット４０の読取領域である読取スリット５３に原稿を搬送する。原稿搬送部２０は、原稿が載置される原稿載置台２１と、原稿載置台２１に載置された原稿を搬送する原稿搬送機構２２と、画像読み取り済みの原稿が排出される原稿排出部２３とを備えている。原稿搬送機構２２は、給紙ローラー６０、レジストローラー対６５、原稿検出センサー６６、分離コロ６７、排紙ローラー対６８、および原稿搬送路６０１を備える。
【００２２】
給紙ローラー６０と分離コロ６７とは互いに当接して対をなして配置されている。給紙ローラー６０及び分離コロ６７は、原稿載置台２１上の原稿を一枚ずつ捌きながら、両ローラーのニップ部により原稿を狭持してレジストローラー対６５に向けて原稿を搬送する。
【００２３】
レジストローラー対６５は、読取スリット５３に原稿を搬送するタイミングを調整するローラーである。レジストローラー対６５は、両ローラーのニップ部により原稿を狭持して読取スリット５３に向けて原稿を搬送する。
【００２４】
読取スリット５３の位置では、このように搬送される原稿の搬送方向先端から後端にかけての原稿表面の画像が読取ユニット４０により読み取られる。読取スリット５３を通過した原稿は、排紙ローラー対６８に受け取られて、排紙ローラー対６８により原稿排出部２３に排出される。
【００２５】
ここで、原稿搬送部２０の内部には、原稿を検出するための複数のセンサーが配設されている。図３は、原稿搬送部２０の内部に設置された各種センサーの配設位置を示す平面断面図である。本図に示すように、原稿載置台２１には、主走査方向（搬送方向に直交する方向）にスライド可能なガイド板２９と、ガイド板２９のスライド位置を示す信号を出力するガイド板検出センサー２７とが配設されている。原稿長さ検出部１０５（図４参照）は、ガイド板検出センサー２７から出力される当該信号に基づき、原稿の主走査方向における長さ（主走査方向長さ）を検出する。
【００２６】
また、原稿搬送路６０１における給紙ローラー６０および分離コロ６７の配設位置と、レジストローラー対６５の配設位置との間には、原稿検出センサー６６が配設されている。原稿検出センサー６６は、２つの光学式センサー６６１、６６２が搬送方向に直交する方向に並設されたラインセンサーである。原稿検出センサー６６の光学式センサー６６１、６６２は、原稿を検出した場合にハイレベル信号を出力し、原稿を検出しない場合にローレベル信号を出力する。原稿長さ検出部１０５は、原稿検出センサー６６の光学式センサー６６１、６６２からハイレベル信号が出力されている時間に、原稿の搬送速度を乗じることで、原稿搬送路６０１中での原稿の副走査方向（搬送方向）における長さ（副走査方向長さ）を検出する。
【００２７】
ここで、副走査方向に対する原稿の傾き角度が大きくなれば、光学式センサー６６１においてローレベル信号からハイレベル信号に切り替わるタイミングと、光学式センサー６６２においてローレベル信号からハイレベル信号に切り替わるタイミングとの差が大きくなる。同様に、副走査方向に対する原稿の傾き角度が大きくなれば、光学式センサー６６１においてハイレベル信号からローレベル信号に切り替わるタイミングと、光学式センサー６６２においてハイレベル信号からローレベル信号に切り替わるタイミングとの差が大きくなる。すなわち、原稿の傾き角度と、光学式センサー６６１、６６２間におけるローレベル信号からハイレベル信号に切り替わるタイミングの差、および、ハイレベル信号からローレベル信号に切り替わるタイミングの差との間には比例関係が成り立つ。傾き角度検出部１０４（図４参照）は、光学式センサー６６１、６６２間におけるローレベル信号からハイレベル信号に切り替わるタイミングの差、または、ハイレベル信号からローレベル信号に切り替わるタイミングの差に基づき、原稿の傾き角度を検出する。
【００２８】
さらに、原稿搬送路６０１における給紙ローラー６０および分離コロ６７の配設位置と、レジストローラー対６５の配設位置との間には、搬送方向に直交する方向に複数の光学式センサー６４１が並設された異幅検出センサー６４が配設されている。異幅検出センサー６４は、原稿の混載読み取りが行われる場合に用いられるセンサーである。異幅検出センサー６４の各光学式センサー６４１は、原稿を検出した場合にハイレベル信号を出力し、原稿を検出しない場合にローレベル信号を出力する。原稿長さ検出部１０５は、原稿の混載読み取りが行われる場合に、異幅検出センサー６４から出力される信号に基づいて、原稿の主走査方向における長さを検出する。
【００２９】
次に、画像読取装置１０および画像形成装置１の内部構成を説明する。図４は、本発明の一実施形態にかかる画像読取装置１０および画像形成装置１の主要内部構成を概略的に示す機能ブロック図である。なお既に説明した構成については説明を略する。
【００３０】
記憶部７０は、ＨＤＤ（Hard Disk Drive）等の大容量の記憶装置である。
【００３１】
制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭまたはＨＤＤ等に記憶された制御プログラムが上記のＣＰＵに実行されることにより、制御部１０１、受付部１０２、傾き角度検出部１０４、原稿長さ検出部１０５、読取領域設定部１０７、原稿サイズ判別部１０８、および傾き補正部１０９として機能する。なお、制御ユニット１００の上記の各構成は、前述の制御プログラムに基づく動作によらず、それぞれハード回路により構成されてもよい。
【００３２】
制御部１０１は、画像読取装置１０および画像形成装置１の全体的な動作制御を司る。制御部１０１は、画像読取装置１０、記憶部７０、給紙部８２、画像形成部８４、および操作部８５等と接続されており、接続されている上記各機構の動作制御や、各機構との間での信号又はデータの送受信を行う。
【００３３】
受付部１０２は、表示部８５１に表示された操作画面に従って操作キー８５２等を用いて入力されるユーザー操作に基づき、画像読取指示、画像形成指示、混載読み取り処理に対する実行指示、および副走査方向に対する原稿の傾き角度に応じた傾き補正処理に対する実行指示等を受け付ける。
【００３４】
読取領域設定部１０７は、原稿長さ検出部１０５が検出した原稿の副走査方向および主走査方向の長さに基づき、画像読取部３０による原稿の読取範囲を設定する機能を有する。
【００３５】
図５（Ａ）および図５（Ｂ）は、読取領域設定部１０７により設定される読取領域を示す図である。図５（Ａ）は、傾き補正機能が無効である場合における読取領域を示し、図５（Ｂ）は、傾き補正機能が有効である場合における読取領域を示す。
【００３６】
図５（Ａ）に示すように、傾き補正機能が無効である場合、読取領域設定部１０７は、原稿長さ検出部１０５が検出した原稿の副走査方向および主走査方向の長さから定まる領域と同じ大きさの領域または若干大きい領域を、読取領域Ａ１として設定する。図５（Ａ）に示す例では、読取領域Ａ１の副走査方向の長さがＬ１となり、主走査方向の長さがＷ１となっている。
【００３７】
一方、傾き補正機能が有効である場合、傾き補正処理を施した画像データに画像の欠落が生じないようにするため、読取範囲を広く設定する必要がある。このため、読取領域設定部１０７は、図５（Ｂ）に示すように、原稿長さ検出部１０５が検出した原稿の副走査方向および主走査方向の長さから定まる領域よりも大きい領域を、読取領域Ａ２として設定する。その結果、傾き補正機能が有効である場合に設定された読取領域Ａ２は、傾き補正機能が無効である場合に設定された読取領域Ａ１よりも広い領域となる（Ｗ２≧Ｗ１、Ｌ２≧Ｌ１）。
【００３８】
傾き補正部１０９は、画像読取部３０が原稿を読み取って生成した画像データに対して、傾き補正処理を実行する。具体的には、傾き補正部１０９は、傾き角度検出部１０４が検出した傾き角度に応じた回転処理やサイズ調整処理等を実行する。なお、傾き補正部１０９による上記の処理は、受付部１０２が傾き補正処理の実行指示を受け付け、傾き補正機能が有効である場合に行われる。
【００３９】
原稿サイズ判別部１０８は、搬送方向長さ検出部１０５が検出した画像データの少なくとも一方向の長さ、および、予め定められたサイズ判別情報に基づき、原稿搬送部２０により搬送された原稿の原稿サイズを判別する機能を有する。
【００４０】
記憶部７０は、原稿の傾き角度毎に上記のサイズ判別情報を記憶している。各サイズ判別情報は、原稿が各傾き角度だけ傾いた状態における、画像データの少なくとも一方向の長さと前記原稿の原稿サイズとの関係を示す。
【００４１】
図６（Ａ）は、記憶部７０に記憶されるサイズ判別情報の一例を示す図である。本図に示す例では、記憶部７０に、傾き角度０°、傾き角度±１°、傾き角度±２°、および傾き角度±３°における原稿サイズと画像データの副走査方向長さとの関係を示すサイズ判別情報が記憶されている。
【００４２】
図６（Ｂ）、図６（Ｃ）、および図６（Ｄ）は、画像データの主走査方向長さが２８７ｍｍ以上の場合における画像データの副走査方向長さと原稿サイズとの関係を示している。原稿サイズ判別部１０８は、傾き角度検出部１０４が検出した原稿の傾き角度に基づき、記憶部７０に記憶された複数のサイズ判別情報の中から、原稿サイズの判別に用いるサイズ判別情報を選択する。そして、原稿サイズ判別部１０８は、画像データの副走査方向長さと、当該選択したサイズ判別情報とを対比することで原稿の原稿サイズを判別する。例えば、原稿の傾き角度が２°であり、画像データの副走査方向の長さが３７６．２ｍｍである場合、原稿サイズ判別部１０８は、原稿のサイズをＢ４であると判別する。
【００４３】
なお、上記では、原稿サイズ判別部１０８が、傾き角度に応じて複数のサイズ判別情報の中から１つのサイズ判別情報を選択して、当該選択したサイズ判別情報と、画像データの少なくとも一方向の長さとを対比することで、前記原稿の原稿サイズを判別する場合を説明したが、本発明は必ずしもこの場合に限定されない。原稿サイズ判別部１０８は、傾き角度を用いて画像データの副走査方向長さを補正して、当該補正後の副走査方向長さと、傾き角度０°のサイズ判別情報とを対比することで原稿の原稿サイズを判別してもよい。補正前の副走査方向の長さをＭ、傾き角度をθとすると、補正後の副走査方向の長さＮは、例えば、以下の数式により算出される。
Ｎ＝Ｍ−Ｋθ（Ｋ＞０）
【００４４】
また、上記では、原稿サイズ判別部１０８は、画像データの副走査方向の長さを用いて原稿の原稿サイズを判別する場合を説明したが、本発明は必ずしもこの場合に限定されない。記憶部７０等に、原稿サイズと主走査方向の長さとの関係を原稿の傾き角度毎に示すサイズ判別情報を予め記憶させておき、原稿サイズ判別部１０８が、当該サイズ判別情報と画像データの主走査方向長さとを対比することで、前記原稿の原稿サイズを判別してもよい。また、原稿サイズ判別部１０８が、画像データの副走査方向長さおよび主走査方向長さの両方を用いて原稿の原稿サイズを判別してもよい。
【００４５】
次に、上記構成を備える画像読取装置１０による原稿の混載読み取り動作について説明する。図７は、画像読取装置１０による原稿の混載読み取り動作の流れを示すフローチャートである。
【００４６】
画像読取装置１０による原稿の混載読み取り動作時において、受付部１０２は、原稿の傾き角度に応じた画像データの補正を実行すべき旨の傾き補正指示を受け付けたか否かを判定する（ステップＳ１０）。
【００４７】
受付部１０２が傾き補正指示を受け付けた場合（ステップＳ１０においてＹＥＳ）、すなわち、受付部１０２が混載読み取り指示と傾き補正処理の実行指示との両方の指示を受け付け、原稿の混載読み取り機能および傾き補正機能の両方の機能が有効である場合、制御部１０１は、原稿搬送部２０に、原稿載置台２１に載置された原稿の搬送を開始させる（ステップＳ１１）。
【００４８】
傾き角度検出部１０４は、原稿検出センサー６６から出力される信号に基づき、原稿の搬送方向に対する傾き角度を検出する（ステップＳ１２）。
【００４９】
また、原稿長さ検出部１０５は、原稿検出センサー６６から出力される信号等に基づき、原稿の主走査方向の長さおよび副走査方向の長さを検出する（ステップＳ１３）。
【００５０】
そして、読取領域設定部１０７は、ステップＳ１３の処理で検出した原稿の主走査方向の長さおよび副走査方向の長さに基づき、画像読取部３０による原稿の読み取り範囲を設定する（ステップＳ１５）。
【００５１】
制御部１０１は、画像読取部３０に、ステップＳ１５の処理で設定された原稿の読み取り範囲において原稿搬送部２０から搬送された原稿を読み取らせ（ステップＳ１６）、原稿の画像データを生成させる（ステップＳ１７）。
【００５２】
原稿サイズ判別部１０８は、ステップＳ１７の処理で生成した画像データの副走査方向の長さおよびサイズ判別情報に加えて、原稿の傾き角度を用いて、原稿の原稿サイズを判別する（ステップＳ１８）。具体的には、原稿サイズ判別部１０８は、傾き角度に応じて複数のサイズ判別情報の中から１つのサイズ判別情報を選択して、当該選択したサイズ判別情報と、画像データの少なくとも一方向の長さとを対比することで、原稿の原稿サイズを判別する。
【００５３】
傾き補正部１０９は、ステップＳ１７の処理で生成した画像データを、ステップＳ１２の処理で検出した原稿の傾き角度に基づき補正し（ステップＳ１９）、補正後の画像データを記憶部７０に記憶させる（ステップＳ２０）。
【００５４】
一方、受付部１０２が傾き補正指示を受け付けない場合（ステップＳ１０においてＮＯ）、すなわち受付部１０２が混載読み取り指示を受け付けたが傾き補正処理の実行指示を受け付けず、原稿の混載読み取り機能が有効であるが傾き補正機能が無効である場合、画像読取装置１０は、通常の原稿の混載読み取り処理を実行する（ステップＳ２１）。通常の原稿の混載読み取り処理では、ステップＳ１８の処理とは異なり、原稿サイズ判別部１０８が、原稿の傾き角度を用いず、画像データの副走査方向の長さと、傾き角度０°のサイズ判別情報とを対比することで原稿の原稿サイズを判別する。すなわち、原稿サイズ判別部１０８は、原稿サイズの判別において原稿の傾き角度の情報を用いない。
【００５５】
既述の通り、異なる原稿サイズの原稿が原稿載置台２１に載置され、当該載置された原稿を原稿搬送部２０が搬送した場合、搬送方向に対して傾いた状態で原稿が搬送される場合がある。この場合、読取領域設定部１０７は、搬送方向における原稿の読み取り範囲を広く設定して、傾いた状態で搬送された原稿の全ての範囲を画像読取部３０に読み取らせる。しかしながら、正常な状態で原稿が搬送された場合と比較して、搬送方向における原稿の読み取り範囲が広くなるため、原稿の原稿サイズを正確に判別することができないという問題がある。
【００５６】
これに対して、本発明の一実施形態にかかる画像読取装置１０では、読取領域設定部１０７が、傾き補正処理が実行される場合において設定する読取領域を、傾き補正処理が実行されない場合において設定する読取領域よりも大きくする。そして、原稿サイズ判別部１０８が、傾き補正処理が実行されない場合に、画像データの少なくとも一方向の長さとサイズ判別情報とを用いて原稿の原稿サイズを判別し、傾き補正処理が実行される場合に、画像データの少なくとも一方向の長さとサイズ判別情報とに加えて、傾き角度を用いて原稿の原稿サイズを判別する。このように、本発明の一実施形態にかかる画像読取装置１０では、画像データの少なくとも一方向の長さとサイズ判別情報とに加えて、傾き角度を用いて原稿の原稿サイズを判別するため、傾き補正機能が有効であり、原稿の読み取り領域が通常より大きく設定された場合であっても、原稿の原稿サイズを正確に判別することができる。
【００５７】
なお、本発明は、上記の実施の形態の構成に限られず種々の変形が可能である。
【００５８】
例えば、上記の実施の形態で示した原稿検出センサー６６の構成は一例であり、本発明は必ずしもこの場合に限定されない。画像読取装置１０は、原稿搬送路６０１中において原稿の傾き角度および原稿の副走査方向の長さを検出できる機構を備えていればよい。
【００５９】
また、上記の実施の形態で説明した制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該制御プログラムを記録したコンピューター読み取り可能な非一時的な記録媒体が、本発明の一実施形態となる。
【符号の説明】
【００６０】
１      画像形成装置
１０    画像読取装置
２０    原稿搬送部
２１    原稿載置台
２２    原稿搬送機構
２３    原稿排出部
２７    ガイド板検出センサー
３０    画像読取部
４０    読取ユニット
６４    異幅検出センサー
６６    原稿検出センサー
７０    記憶部
１００  制御ユニット
１０１  制御部
１０２  受付部
１０４  傾き角度検出部
１０５  原稿長さ検出部
１０７  読取領域設定部
１０８  原稿サイズ判別部
１０９  傾き補正部
【図１】
2016092478.tif 000003
【図２】
2016092478.tif 000004
【図３】
2016092478.tif 000005
【図４】
2016092478.tif 000006
【図５】
2016092478.tif 000007
【図６】
2016092478.tif 000008
【図７】
2016092478.tif 000009